(57)【要約】【課題】止水後の残留水の滴下と水栓本体への伝い落ちを抑制することができる手洗い器を提供する。【解決手段】水栓１０は、水栓本体１１と、水栓本体１１の前面に、前方に突出するように配された筒状の吐水口部２０と、給水路５ａより吐水口部２０の吐水口２１に連通する吐水路３０とを備えており、吐水路３０の軸３３は、前方に向けて下り傾斜しており、吐水口部２０の吐水口面２２と直交する面２３が、吐水路３０の軸３３よりもさらに下向きに傾斜している。【選択図】図１
2019187713.tif 000002
【特許請求の範囲】
【請求項１】
ボウルに洗浄水を吐水する、該ボウルの後部より起立した背面壁部に取り付けられた水栓と、該水栓に洗浄水を供給する給水路に設けられ、止水と通水とを切り替え可能とした電気的駆動弁とを備えた手洗い器であって、
前記水栓は、水栓本体と、該水栓本体の前面に、前方に突出するように配された筒状の吐水口部と、前記給水路より前記吐水口部の吐水口に連通する吐水路とを備えており、
前記吐水路の軸は、前方に向けて下り傾斜しており、
前記吐水口部の吐水口面と直交する面が、前記吐水路の軸よりもさらに下向きに傾斜していることを特徴とする手洗い器。
【請求項２】
請求項１において、
前記吐水口面と直交する面の傾斜角度と、前記吐水路の軸の傾斜角度との差が１０〜３０度であることを特徴とする手洗い器。
【請求項３】
請求項１または２において、
前記吐水口部の下部における前記水栓本体からの突出寸法が２〜５ｍｍであることを特徴とする手洗い器。
【請求項４】
請求項１〜３のいずれか１項において、
前記吐水口部と前記水栓本体とが合成樹脂の一体成形により形成されていることを特徴とする手洗い器。
【請求項５】
請求項１〜４のいずれか１項において、
前記水栓本体の外面には、前記電気的駆動弁を動作させるための操作スイッチが設けられていることを特徴とする手洗い器。
【発明の詳細な説明】
【技術分野】
【０００１】
本発明は、前方のボウルに吐水する水栓が背面壁部に設けられた手洗い器に関する。
【背景技術】
【０００２】
従来のこの種の手洗い器として、特許文献１において、水栓本体に内装された吐水路が下り傾斜したものが提案されている。つまり、吐水口部（水栓本体）の吐水口は前方の斜め下方を向いており、そのため洗浄水を、吐水口からボウルの略中央に向けて吐水させることができる。
【先行技術文献】
【特許文献】
【０００３】
【特許文献１】特開２００８−２３７６１６号公報
【発明の概要】
【発明が解決しようとする課題】
【０００４】
しかしながら、上記文献のように筒状の吐水口部を傾斜して設けると、止水したときに、吐水路内の残留水が滴下したり、水栓本体の外面を伝い落ちたりすることがある。また、水栓本体の外面を伝い落ちた水がさらに背面壁部の前面に流れるおそれもある。特に、止水と通水とを電気的駆動弁で切り替える方式の水栓では、すぐに止水されるが、吐水口部と電気的駆動弁の間の距離が手動弁の場合よりも長くなるため、止水後に洗浄水が吐水路に残りやすく、その後の残留水の滴下や伝い落ちは発生しやすい。
【０００５】
したがって、上記のような手洗い器によれば、残留水の滴下により水撥ねが起きやすくなり、また残留水の伝い落ちにより水栓本体や背面壁部に水垢による汚れが付着しやすくなる。
【０００６】
本発明は、このような事情を考慮して提案されたもので、その目的は、止水後の残留水の滴下と水栓本体への伝い落ちを抑制することができる手洗い器を提供することにある。
【課題を解決するための手段】
【０００７】
上記目的を達成するために、本発明の手洗い器は、ボウルに洗浄水を吐水する、該ボウルの後部より起立した背面壁部に取り付けられた水栓と、該水栓に洗浄水を供給する給水路に設けられ、止水と通水とを切り替え可能とした電気的駆動弁とを備えた手洗い器であって、前記水栓は、水栓本体と、該水栓本体の前面に、前方に突出するように配された筒状の吐水口部と、前記給水路より前記吐水口部の吐水口に連通する吐水路とを備えており、前記吐水路の軸は、前方に向けて下り傾斜しており、前記吐水口部の吐水口面と直交する面が、前記吐水路の軸よりもさらに下向きに傾斜していることを特徴とする。
【発明の効果】
【０００８】
本発明の手洗い器は上述した構成としているため、水栓の止水後の残留水の滴下と、水栓本体への伝い落ちとを抑制することができる。
【図面の簡単な説明】
【０００９】
【図１】本発明の一実施形態に係る手洗い器の一例を示した斜視図である。
【図２】同手洗い器に用いられた水栓の、図１のＡ−Ａ線に対応した模式的拡大縦断面図である。
【図３】同手洗い器の吐水口部の模式的説明図である。（ａ）（ｂ）は吐出口部の断面図、（ｃ）は（ｂ）にＢ方向から見た吐水口部の正面図、（ｄ）（ｅ）は吐出口部の傾斜配設例を示した断面図である。
【発明を実施するための形態】
【００１０】
以下に、本発明の実施の形態に係る手洗い器について、添付図面を参照しながら説明する。図１は手洗い器１の一例を示した斜視図、図２は同手洗い器１に用いられた水栓の模式的縦断面図、図３（ａ）〜（ｅ）は、同手洗い器１の吐水口部２０の機構の模式的説明図である。なお図３は、水栓本体１１に、前方に突出するように設けた吐水口部２０の突出部分のみを切り取って図示したものである。
【００１１】
まず、本手洗い器１の概略構成について説明する。
【００１２】
本手洗い器１は、ボウル３に洗浄水を吐水する、ボウル３の後部より起立した背面壁部４に取り付けられた水栓１０と、水栓１０に洗浄水を供給する給水路５ａに設けられ、止水と通水とを切り替え可能とした電気的駆動弁８とを備えている。
【００１３】
水栓１０は、水栓本体１１と、水栓本体１１の前面に、前方に突出するように配された筒状の吐水口部２０と、給水路５ａより吐水口部２０の吐水口２１に連通する吐水路３０とを備えている。この吐水路３０の軸３３は前方に向けて下り傾斜している。そして、吐水口部２０の吐水口面２２と直交する面２３は、吐水路３０の軸３３よりもさらに下向きに傾斜している。なお、吐水口面２２は平面とされる。
【００１４】
ついで、手洗い器１を構成する各部の詳細について説明する。
【００１５】
本手洗い器１は、図１に示すように、屋内の壁面等に取り付けられる、水栓１０付きのボウル体とされる。ボウル体は、排水口３ｃを有した底部３ａと四周の側部３ｂとを有してなるボウル３と、背面側の側部３ｂの上方に延びた背面壁部４とを備えている。ボウル３の排水口３ｃは排水管３ｄに通じている。
【００１６】
背面壁部４と下方の背面側の側部３ｂとの裏側において連続した面が、屋内の壁面等に対する取り付け面とされる。図１に示すように、背面壁部４の前面には水栓１０が前方に突出するように設けてある。
【００１７】
水栓本体１１は、天板部１２と底板部１３と前板部１４と側板部１５とよりなる外郭部を含んで構成されている。天板部１２は、略平坦に形成され前方にやや下り傾斜しており、その中央には上記の電気的駆動弁８を動作させるための操作スイッチ１８が組み込まれている。この操作スイッチ１８は、上面を防水型の押下スイッチとし、内部側にはスイッチを構成する部材を内装してなる操作ブロックが配され、電気的駆動弁８に電気的に接続されている。このように、水栓本体１１、特に本例のように天板部１２に操作スイッチ１８を設けることが、操作のしやすさからは望ましい。
【００１８】
また、前板部１４の下部には、斜め前方に凹湾曲した面を向けた凹湾曲部１４ａが形成され、その凹湾曲部１４ａに上記の吐水口部２０が突出するように形成されている。
【００１９】
この吐水口部２０は、水栓本体１１の内部側に形成された給水管接続部１７に対し、吐水路３０を通じて連成されている。この吐水路３０の上流側には入水路３１が形成され、下流側（吐水口２１側）には入水路３１よりも径大な出水路３２が形成されている。その出水路３２の出口開口が吐水口２１とされる。給水管接続部１７は、内部には吐水路３０に連通する接続凹部１７ａを有している。
【００２０】
給水管接続部１７の接続凹部１７ａには、水道管等の給水源（不図示）に接続された給水管５の接続部５ｂが内嵌め接続されている。給水管５は、内部に給水路５ａを有し、その給水路５ａは下流側の吐水路３０に連通している。給水路５ａの最上流側にはストレーナ７が配され、一方、下流側には電気的駆動弁８が配されている。給水管接続部１７と給水管５とは、水栓本体１１の内部で接続されている。
【００２１】
以上に示した構成により、操作スイッチ１８の操作により、電気的駆動弁８が作用して、止水と通水との切り替えが可能とされ、通水操作がなされた際には洗浄水が吐水口２１から吐水され、止水操作がなされた際にはその吐水が停止される。
【００２２】
なお、図２においては、給水管接続部１７と給水管５との接続部分の詳細構造（例えば水密構造）、および、上記操作スイッチ１８の操作ブロックを除く水栓本体１１の内部構造については図示を省略した。
【００２３】
さらに、吐水口部２０の詳細形状、構造について、図２および図３にもとづいて説明する。
【００２４】
吐水口部２０の吐水口２１は、斜め前方に向けた吐水口面２２に開設されている。また、吐水路３０の軸３３は前方に向け下り傾斜している。この吐水路３０の軸３３と、吐水口面２２とのなす角度θ１は、図２に示すように直角よりも小さい。換言すれば、吐水口部２０の吐水口面２２と直交する面２３が、吐水路３０の軸３３よりもさらに下向きに傾斜している。
【００２５】
なお、図例のものでは、給水管５の接続部５ｂが略水平に接続されており、その給水管５の軸６と、吐水路３０の軸３３とのなす角度θ２は約１５度とされ、給水管５の軸６と、吐水口部２０の吐水口面２２と直交する面２３とのなす角度θ３は約３５度とされる。
【００２６】
本図例では、吐水口部２０の吐水口面２２と直交する面２３が、吐水路３０の軸３３よりもさらに下向きに傾斜しているため、図３（ａ）に示すように上辺の寸法を小とした等脚台形の上辺側を斜めに切り取ったような形状とされる。つまり立体的には、吐水口部２０は円錐台の上面側を切り取って傾斜面とした形状とされる。
【００２７】
図３（ａ）の吐水口部２０を図３（ｂ）に示すような傾斜角度に回転させ、その下辺側を前板部１４の凹湾曲部１４ａに連結することで、図２に示した吐水口部２０が構成される。この吐水口部２０は、凹湾曲部１４ａ（水栓本体１１）に合成樹脂で一体に形成されていることが望ましい。なお、図２と図３（ｂ）のものは、傾斜角度は同一とされ、吐水口部２０の下部２４（下端）は、略水平に位置する。
【００２８】
このような形状の吐水口部２０であるため、吐水口部２０の上部２５と下部２４のそれぞれの、吐水口部２０の突出基部２６からの突出寸法は、図２に示すように相互に差があり、上部２５の突出寸法のほうが大きい。図例では、下部２４における水栓本体１１からの突出寸法Ｌは約３ｍｍとされ、２〜５ｍｍとすることが望ましい。
【００２９】
また本図例では、吐水口２１の直上流に位置する出水路３２の断面は、図３（ａ）に示すように台形形状とされ、その傾斜脚辺の部位が吐水口２１とされる。この吐水口部２０を図３（ｂ）のように傾けることで吐水口２１は斜め下方を向く。吐水口２１は、図３（ｂ）のＢ方向からの正面視では、図３（ｃ）に示すように楕円形状とされる。その楕円の長径は出水路３２の径よりも大きい。
【００３０】
以上に示したように、本手洗い器１の吐水口部２０は前方に突出し、つまり吐水口部２０の吐水口面２２の下端が水栓本体１１の吐水口部２０の下側の突出基部２６より前方に位置している。そのため、水栓１０を止水した際に、吐水されない残留水は水栓本体１１の表面や背面壁部４にたどり着きにくくでき、かつ残留水の伝い落ちを抑制でき、それによる汚れの付着を少なくすることができる。
【００３１】
この残留水は水滴となって少しずつ、吐水口２１の下方に落下する可能性がある。しかし、本実施形態のものによれば、図３（ｂ）のように吐水口２１の直上流に位置する出水路３２の断面が、斜め状に切り取りされた形状であるため、出水路３２の上側（天井面）が下側（底面）よりも長い、偏りのある形状となっている。そのため、残留水は出水路３２の内部に保持されにくくなり、止水後の残留水は大きな塊となって、それ以前に吐水された洗浄水に続くように途切れなく落下する可能性が高くなる。こうして、残留水が水滴として少しずつ滴下することを抑制することができる。つまり、水切り効果が奏せられる。
【００３２】
本実施形態では、出水路３２の径を上流側の入水路３１の径よりも大きくしているため、出水路３２内において表面張力が作用しにくく、そもそも吐水路３０には水は保持されにくい構成となっている。したがって、この出水路３２の構成と、上記斜め状の吐水口２１とがあいまって水切り効果が高められる。
【００３３】
また、吐水口面２２と直交する面２３の傾斜角度θ３と、吐水路３０の軸３３の傾斜角度θ２との差は、約３５度−約１５度＝約２０度であるが、この差を１０〜３０度とすることが望ましいことが、種々の試作品による試験により判明した。
【００３４】
なお、吐水口部２０の突出寸法、傾斜角度等は図２の例のものには限られない。傾斜の程度としては、図３（ｄ）のように吐水口２１を、より下方に向くようにしてもよいし、図３（ｅ）のように吐水口２１を、より前方を向くようにしてもよい。
【００３５】
また、吐水口部２０の下部２４の突出寸法Ｌは、種々の試作品により２〜５ｍｍであることが滴下防止、伝い落ち防止の観点から望ましいことが、種々の試作品による試験により判明したが、もちろんこの寸法範囲には限られない。
【００３６】
さらに、吐水口部２０と水栓本体１１とが合成樹脂の一体成形により形成されていれば、残留水がかりに伝い落ちしても、残留水が水栓本体１１の内部に入り込むおそれはなく、水密性は保たれる。また、吐水口部２０と水栓本体１１の表面の掃除もしやすい。
【符号の説明】
【００３７】
１            手洗い器
３            ボウル
４            背面壁部
５            給水管
５ａ          給水路
６            給水路の軸
８            電気的駆動弁
１０          水栓
１１          水栓本体
１８          操作スイッチ
２０          吐水口部
２１          吐水口
２２          吐水口面
２３          吐水口面と直交する面
３０          吐水路
３１          入水路
３２          出水路
３３          吐水路の軸
【図１】
2019187713.tif 000003
【図２】
2019187713.tif 000004
【図３】
2019187713.tif 000005